(57)【特許請求の範囲】
【請求項１】
水平周波数及び映像信号期間が異なる信号方式ごとに、ブラウン管中央のフォーカス電圧に対する直流フォーカス補正電圧を記憶している記憶装置と、該記憶内容を電圧に変換するデジタルアナログ変換器と、該アナログ電圧を入力とする出力電圧可変手段とを備え、前記出力電圧をフォーカス電圧調整用ボリウムに接続することにより、受像信号の水平周波数及び映像信号期間に対応して前記記憶装置から読み出した直流フォーカス補正電圧を前記デジタルアナログ変換器及び出力電圧可変手段とを介して前記フォーカス電圧調整用ボリウムに供給し、フォーカス電圧の直流電圧成分を補正するようにしたことを特徴とするテレビジョン受像機のダイナミックフォーカス回路。
【発明の詳細な説明】
【０００１】
【発明の属する技術分野】
本発明は、テレビジョン受像機のダイナミックフォーカス回路に関する。
【０００２】
【従来の技術】
従来、水平走査周波数及び映像信号期間などの異なる信号方式を一台のテレビジョン受像機で受信する場合、ダイナミックフォーカス回路において、ダイナミックフォーカス電圧の交流成分の差を特に補正する事なく、各信号方式の妥協点をとるなどして対応してきた。
【０００３】
【発明が解決しようとする課題】
水平走査周波数及び映像信号期間などの異なる信号方式の場合のダイナミックフォーカス電圧の交流成分の差について説明する。
まず、図２と図５を用いてダイナミックフォーカス回路の基本動作を説明する。図２（ａ）がブラウン管が必要とする、ダイナミックフォーカス電圧の特性図である。図２（ｂ）、（ｃ）が、一例として示した、図５のトランス７と抵抗８とコイル９とコンデンサ１０とトランジスタ１１で構成されたダイナミックフォーカス交流成分発生回路で作られた波形図である。
【０００４】
図５において、ＦＢＴ１に内蔵されたフォーカス調整用ボリウム３の中点より取りだされる直流フォーカス電圧と、コンデンサ６を通して直流成分をカットされたダイナミックフォーカス交流成分電圧とが合成され、図２（ａ）に示すダイナミックフォーカス電圧となり、ブラウン管のフォーカス端子に供給される。
以上が、ダイナミックフォーカス電圧印加動作の概略である。
【０００５】
しかしながら、水平走査周波数及び映像信号期間などの異なる信号方式の場合、まず、ダイナミックフォーカス波形発生回路内における、各定数の切り替え回路を追加して、ブラウン管の有効画面部分での交流波形を同一にするように設計する。その様子を図２（ｂ）、（ｃ）に示す。
しかしながら、有効画面部分以外の波形をも同一とすることは、非常な設計困難度を伴う。
【０００６】
トータル波形が異なる場合、図５のコンデンサ６を通して直流カットした場合の交流成分のピーク値が異なり、該交流成分とフォーカスボリウム３の中点より供給される直流フォーカス電圧との合成電圧がブラウン管所望のダイナミックフォーカス電圧とは、ずれを生じてくるという問題を有していた。特に、ブラウン管中央のフォーカスがずれるという重要問題を有していた。
【０００７】
【課題を解決するための手段】
上記課題を解決するために、本発明のテレビジョン受像機のダイナミックフォーカス回路は、水平周波数及び映像信号期間が異なる信号方式ごとに、ブラウン管中央のフォーカス電圧に対する直流フォーカス補正電圧を記憶している記憶装置と、該記憶内容を電圧に変換するデジタルアナログ変換器と、該アナログ電圧を入力とする出力電圧可変手段とを備え、前記出力電圧をフォーカス電圧調整用ボリウムに接続することにより、受像信号の水平周波数及び映像信号期間に対応して前記記憶装置から読み出した直流フォーカス補正電圧を前記デジタルアナログ変換器及び出力電圧可変手段とを介して前記フォーカス電圧調整用ボリウムに供給し、フォーカス電圧の直流電圧成分を補正するように構成したものである。
【０００８】
このことにより、水平走査周波数及び映像信号期間などの異なる信号を、受像する場合に各々良好な、フォーカス特性を確保することができることを特徴としたものである。
【００１２】
本発明の請求項１に記載の発明は、水平周波数及び映像信号期間が異なる信号方式ごとに、ブラウン管中央のフォーカス電圧に対する直流フォーカス補正電圧を記憶している記憶装置と、該記憶内容を電圧に変換するデジタルアナログ変換器と、該アナログ電圧を入力とする出力電圧可変手段とを備え、前記出力電圧をフォーカス電圧調整用ボリウムに接続することにより、受像信号の水平周波数及び映像信号期間に対応して前記記憶装置から読み出した直流フォーカス補正電圧を前記デジタルアナログ変換器及び出力電圧可変手段とを介して前記フォーカス電圧調整用ボリウムに供給し、フォーカス電圧の直流電圧成分を補正するようにしたことを特徴とするテレビジョン受像機のダイナミックフォーカス回路としたものであり、その水平走査周波数及び映像信号期間などの異なる場合でも、常に各々、正規なダイナミックフォーカス電圧をブラウン管に供給できるという作用を有する。
【００１３】
以下、本発明の実施の形態について、図１、図２、図４、図５を用いて説明する。
【００１４】
（実施の形態１）
図１は本発明の実施の形態１における、テレビジョン受像機のダイナミックフォーカス回路のブロック構成図である。
図１において、符号１はフライバックトランス（ＦＢＴ）である。符号２は抵抗である。符号３はフォーカス調整用ボリウムである。符号４は抵抗である。符号５はトランジスタである。符号６はコンデンサである。符号７はトランスである。符号８は抵抗である。符号９はコイルである。符号１０はコンデンサである。符号１１はトランジスタである。符号１２は水平走査周波数判別出力回路である。符号１３はパルス出力回路である。符号１４はブラウン管である。
【００１５】
今、一例として、全信号期間中における映像信号期間の異なる２つの信号の場合について説明する。
ブラウン管のフォーカス端子に印加するダイナミックフォーカス電圧は図２（ａ）に示す通りである。
【００１６】
たとえ信号方式が異なる場合でも、映像信号期間にこの電圧が印加されるように設定されなくてはならない。
その設定は、ダイナミックフォーカス波形発生回路の一例として示す、図１の、トランス７と抵抗８とコイル９とコンデンサ１０とトランジスタ１１で構成されたＬＣ共振回路内の各定数の切り替えによって実現される。
【００１７】
そのようにして実現された、映像信号期間のダイナミックフォーカス波形が、ブラウン管有効画面の波形と等しくなっているのを、図２（ｂ）、（ｃ）に示す。この図よりわかるように、映像信号期間の波形は等しくても全信号期間の波形を見た場合、波形は異なり、かつ、その交流零点は異なってくる。
【００１８】
実際に、ブラウン管のフォーカス端子に印加される電圧は、フォーカス調整ボリウム３の中点から供給される直流電圧と、図１のコンデンサ６から供給される交流電圧との合成電圧である。
このことにより信号方式が異なる場合、本来必要とする正規のダイナミックフォーカス電圧をブラウン管に供給することができない。
特に、ブラウン管中央のフォーカスずれは、テレビジョン受像機の画質を著しく損なう。その解決策として、上記直流電圧の変動の補正を図１のフォーカスボリウム３の下に装置された、その値が最適に選ばれたを抵抗を、接続もしくは短絡することで行うようにする。
なお、信号方式が２つ以上の場合は図３に示すような、各抵抗を切り替えるスイッチを装置する事で対応できる。
【００１９】
（実施の形態２）
図４は本発明の実施の形態２におけるテレビジョン受像機のダイナミックフォーカス回路のブロック構成図である。図４において、符号１５は、記憶装置である。符号１６はデジタルアナログ変換器である。符号１７はＡＶＲである。
【００２０】
実施の形態１において説明したように、信号方式の違いによるフォーカス直流電圧の変動の補正を本実施の形態２においては、記憶装置１５に記憶された補正電圧のデジタルデータをデジタルアナログ変換器１６にてアナログ電圧に変換し、該アナログ電圧を入力としてＡＶＲ１７の出力電圧を変化させる。
【００２１】
該ＡＶＲ１７の出力電圧が、信号方式の違いによる、フォーカス直流電圧変動となるように、記憶装置１５内データおよび、ＡＶＲ１７の増幅度が設定されている。
【００２２】
【発明の効果】
以上のように本発明は、水平走査周波数及び映像信号期間などの異なる場合でも、常に各々、正規なダイナミックフォーカス電圧をブラウン管に供給できるという効果を有する。
【図面の簡単な説明】
【図１】本発明の実施の形態１におけるテレビジョン受像機のダイナミックフォーカス回路のブロック構成図
【図２】ブラウン管として必要なダイナミックフォーカス電圧特性図と回路による生成電圧特性図
【図３】本発明の実施の形態１における信号方式が２つ以上の場合の切り替え回路図
【図４】本発明の一実施の形態２におけるテレビジョン受像機のダイナミックフォーカス回路のブロック構成図
【図５】従来のブロック構成図
【符号の説明】
１  フライバックトランス（ＦＢＴ）
２  抵抗
３  フォーカス調整用ボリウム
４  抵抗
５  トランジスタ
６  コンデンサ
７  トランス
８  抵抗
９  コイル
１０  コンデンサ
１１  トランジスタ
１２  水平走査周波数判別出力回路
１３  パルス出力回路
１４  ブラウン管
１５  記憶装置
１６  デジタルアナログ変換器
１７  ＡＶＲ
１８  抵抗
１９  抵抗
２０  抵抗
２１  トランジスタ
２２  トランジスタ
２３  トランジスタ
【図１】
0003562272.tif 000002
【図２】
0003562272.tif 000003
【図３】
0003562272.tif 000004
【図４】
0003562272.tif 000005
【図５】
0003562272.tif 000006